(57)【要約】【課題】補強材と固化材からなる強固な補強構造を実現でき、さらに、柱状物内における補強材の設置も容易な、中空柱状物の補強方法を提供すること。【解決手段】繊維材料からなる補強シート１を筒状に丸めてから、この補強シート１を中空状の電柱１０の上端部から電柱１０の内部に挿入し、電柱１０内に挿入された補強シート１の内側に、樹脂材料を含む流動性固化材２を注入しつつ補強シート１を押し広げた後、電柱１０内に注入された流動性固化材２を固化させる。【選択図】図１
2010168889.tif 000002
【特許請求の範囲】
【請求項１】
地面に立設された中空形状の柱状物を補強する方法であって、
繊維材料からなる筒状の補強材を前記柱状物の内部に挿入する、補強材挿入工程と、
前記柱状物内に挿入された前記補強材の内側に、樹脂材料を含む流動性固化材を注入しつつ前記補強材を半径方向に押し広げる、固化材注入工程と、
前記柱状物内に注入された前記流動性固化材を固化させる固化工程と、
を備えていることを特徴とする中空柱状物の補強方法。
【請求項２】
地面に立設された中空形状の柱状物を補強する方法であって、
繊維材料からなる筒状の補強材を前記柱状物の上端部から前記柱状物の内部に挿入する、補強材挿入工程と、
前記柱状物内に挿入された前記補強材の内側に、樹脂材料を含む流動性固化材を注入しつつ前記補強材を半径方向に押し広げる、固化材注入工程と、
前記柱状物内に注入された前記流動性固化材を固化させる固化工程と、
を備えていることを特徴とする中空柱状物の補強方法。
【請求項３】
前記補強材挿入工程において、前記柱状物の上端に形成された開口から前記補強材を挿入した後、前記開口において前記補強材の上端部分を折り返すことを特徴とする請求項２に記載の中空柱状物の補強方法。
【請求項４】
前記補強材挿入工程において、繊維材料からなる補強シートを筒状に丸めたものを前記補強材として、前記柱状物の内部に挿入することを特徴とする請求項１〜３の何れかに記載の中空柱状物の補強方法。
【請求項５】
前記補強材挿入工程において、前記補強シートを丸めた後に補強シートの端部を仮止めし、
前記固化材注入工程において、筒状に丸められた補強シートの内側に前記流動性固化材を注入することで、前記補強シートの仮止めを解除しつつ、補強シートを押し広げることを特徴とする請求項４に記載の中空柱状物の補強方法。
【請求項６】
前記補強材挿入工程において、２枚の補強材を、その一方の補強材が、丸められた他方の補強材の内側に挿通された状態で、前記柱状物内に配置することを特徴とする請求項１〜５の何れかに記載の中空柱状物の補強方法。
【請求項７】
前記２枚の補強材のうち、内側に位置する前記一方の補強材は、外側に位置する前記他方の補強材よりも目が細かいことを特徴とする請求項６に記載の中空柱状物の補強方法。
【請求項８】
前記補強材の内側に筒状の枠体を挿入する枠体挿入工程をさらに備え、
前記固化材注入工程において、前記柱状物内に挿入された筒状の前記補強材と筒状の前記枠体との間に、前記流動性固化材を注入することを特徴とする請求項１〜７の何れかに記載の中空柱状物の補強方法。
【請求項９】
前記枠体は、気密性又は液密性を有する筒状織物であり、
前記固化材注入工程において、前記枠体内に気体又は液体を注入してこの枠体を膨張させた状態で、前記補強材と前記枠体の間に前記流動性固化材を注入することを特徴とする請求項８に記載の中空柱状物の補強方法。
【請求項１０】
前記補強材を前記柱状物内に挿入する前に前記補強材の内側に前記枠体を挿入し、
前記補強材の下端部を前記枠体の下端部に固定した後、前記補強材と前記枠体を前記柱状物内に挿入することを特徴とする請求項８又は９に記載の中空柱状物の補強方法。
【請求項１１】
前記補強材及び前記枠体を前記柱状物内に挿入した後に、前記枠体の前記柱状物に対する位置決めを行うためのスペーサーを、前記枠体の上端部と前記柱状物の間に取り付けることを特徴とする請求項８〜１０の何れかに記載の中空柱状物の補強方法。
【発明の詳細な説明】
【技術分野】
【０００１】
本発明は、地面に立設された電柱等の中空柱状物を補強する方法に関する。
【背景技術】
【０００２】
市街地には、ケーブルや電線等を支持する電柱などの種々の柱状物が設置されている。これらの柱状物の多くは、鉄筋コンクリートや鋼管等からなる中空形状の柱状物であり、その端部が地中に埋設された状態で地面に立設されている。このような中空柱状物は、長期間にわたり直射日光や風雨にさらされることから劣化が生じることは避けられず、特に、根元部付近において劣化が生じると柱状物が倒れる虞がある。また、電線等が架け渡される２本の柱状物の間には、電線等に常時生じている張力により互いに接近する方向に力が作用していることがあるが、この場合、根元部に大きな曲げ応力が作用するためにクラック等が生じやすい。
【０００３】
しかし、このような経年劣化やクラックが生じた柱状物の全体を別の新しい柱状物と取り替えようとすると、架設されているケーブルや電線等を付け替えるなどの作業が必要であり、非常に手間がかかる。そこで、従来から、既設の中空柱状物を補強する方法が提案されている。
【０００４】
特許文献１には、中空の柱状物であるコンクリート製の電柱を、長尺な補強材と流動性固化材を用いて内部から補強する補強方法が記載されている。詳細には、特許文献１の補強方法においては、まず、電柱側面に形成した側面開口から電柱内部に、複数本の補強材（アラミドロッド）を挿入するとともに、同じく側面開口から挿入したロッド配置用補助具によって複数本の補強材を電柱内部において分散配置させる。次に、側面開口を塞いだ後、電柱の上端（頂部）開口から無収縮モルタル等の流動性固化材を注入する。
【先行技術文献】
【特許文献】
【０００５】
【特許文献１】特開２００７−７７６１３号公報
【発明の概要】
【発明が解決しようとする課題】
【０００６】
前記特許文献１の補強方法では、柱状物の側面に側面開口を形成し、この側面開口から複数本の補強材やこれらの補強材を分散配置するための補助具を挿入している。しかし、側面の比較的小さな開口から挿入した複数本の長尺な補強材を、柱状物の内部に上下方向に沿って配置することは非常に困難な作業であり、また、補強材を上方から吊り下げる工程や、補助具により柱状物内部で補強材を保持する工程など、多数の工程を経て行われるため、補強材の挿入にかなりの時間と労力を必要とする。
【０００７】
本発明の目的は、補強材と固化材からなる強固な補強構造を実現でき、さらに、柱状物内における補強材の設置も容易な、中空柱状物の補強方法を提供することである。
【課題を解決するための手段及び発明の効果】
【０００８】
第１の発明の中空柱状物の補強方法は、地面に立設された中空形状の柱状物を補強する方法であって、繊維材料からなる筒状の補強材を前記柱状物の内部に挿入する、補強材挿入工程と、前記柱状物内に挿入された前記補強材の内側に、樹脂材料を含む流動性固化材を注入しつつ前記補強材を半径方向に押し広げる、固化材注入工程と、前記柱状物内に注入された前記流動性固化材を固化させる固化工程とを備えていることを特徴とするものである。
【０００９】
この補強方法においては、まず、繊維材料からなる筒状の補強材を、中空形状の柱状物の内部に挿入する。次に、柱状物内の筒状の補強材の内側に、樹脂材料を含む流動性固化材を注入する。このとき、流動性固化材の注入圧力により、筒状の補強材が柱状物の内面付近まで半径方向に押し広げられる。その後、流動性固化材を固化させることで、柱状物の内面に密着した補強材と、柱状物の内部を埋める固化材とからなる補強構造が完成する。
【００１０】
このように、本発明によれば、筒状の補強材を柱状物内に挿入し、この補強材の内側に流動性固化材を注入するだけで、補強材を半径方向に押し広げて柱状物内面に接するように配置することができる。そのため、柱状物の内部に、この柱状物内面を覆うように配置された繊維製補強材と、この補強材との接着性に優れた樹脂材料を含む固化材とが一体化した、強固な補強構造を容易に形成することができる。また、補強材に樹脂材料が含浸硬化することで、柱状物を内面から補強する補強材の伸びが小さくなるため、補強構造がより強固なものとなる。さらに、繊維製の補強材は折り畳んだり丸めたりすることができ、保管や運搬の面で有利である。また、筒状の補強材を曲げながら挿入することも可能であるから、補強材をクレーン等で吊り上げる必要がなく、挿入作業が容易である。
【００１１】
また、流動性固化材の注入により補強材を柱状物内面に密着させた後、さらに固化材の注入を行うことによって、流動性固化材中の樹脂材料の一部が、補強材を透過して柱状物内面までしみ出す。そのため、しみ出した樹脂材料によって補強材が柱状物内面に接着されることになり、柱状物の内面に対する補強材の接着性が向上する。また、柱状物の内面にクラック等の欠陥がある場合には、補強材を透過した樹脂材料がクラック等に浸透するため柱状物内面が修復され、また、樹脂材料によってクラック周辺部分が接合されることから、柱状物自体の補修にもなる。
【００１２】
第２の発明の中空柱状物の補強方法は、地面に立設された中空形状の柱状物を補強する方法であって、繊維材料からなる筒状の補強材を前記柱状物の上端部から前記柱状物の内部に挿入する、補強材挿入工程と、前記柱状物内に挿入された前記補強材の内側に、樹脂材料を含む流動性固化材を注入しつつ前記補強材を半径方向に押し広げる、固化材注入工程と、前記柱状物内に注入された前記流動性固化材を固化させる固化工程とを備えていることを特徴とするものである。
【００１３】
本発明によれば、筒状の補強材を柱状物の上端部から柱状物内に挿入することから、挿入作業が容易である。
【００１４】
第３の発明の中空柱状物の補強方法は、前記第２の発明において、前記補強材挿入工程において、前記柱状物の上端に形成された開口から前記補強材を挿入した後、前記開口において前記補強材の上端部分を折り返すことを特徴とするものである。
【００１５】
柱状物の内部に補強材を挿入した後に、補強材の内側に流動性固化材を注入したときに、補強材が下方にずりおちないようにするため、また、補強材を構成している経糸を緊張させるため、補強材の上端部を柱状物の上端部に固定して、固化材の注入中に補強材に対して上下方向にテンションが付与されるようにすることが好ましい。ここで、本発明においては、柱状物の上端開口において補強材の上端部分を折り返すだけで、補強材の上端部を柱状物上端部に簡単に固定することができる。
【００１６】
第４の発明の中空柱状物の補強方法は、前記第１〜第３の何れかの発明において、前記補強材挿入工程において、繊維材料からなる補強シートを筒状に丸めたものを前記補強材として、前記柱状物の内部に挿入することを特徴とするものである。
【００１７】
このように、前記補強材として、繊維材料からなる補強シートを筒状に丸めただけのものを使用した場合には、端部のない（あるいは、端部が強固に縫合された）完全な筒状の補強材と比較して、固化材注入工程において補強材の内側に流動性固化材が注入されたときに、補強材（補強シート）が速やかに半径方向に押し広げられる。つまり、補強材を柱状物の内面に密着させやすくなり、強固な補強構造を一層容易に形成することができる。
【００１８】
第５の発明の中空柱状物の補強方法は、前記第４の発明において、前記補強材挿入工程において、前記補強シートを丸めた後に補強シートの端部を仮止めし、前記固化材注入工程において、筒状に丸められた補強シートの内側に前記流動性固化材を注入することで、前記補強シートの仮止めを解除しつつ、補強シートを押し広げることを特徴とするものである。
【００１９】
このように、補強シートを筒状に丸めた後にその端部を仮止めしてから、補強シートを柱状物の内部に挿入することで、挿入の際に、補強シートの筒状に丸められた状態が解除されてしまうことがなく、長尺な柱状物内に補強シートを挿入する作業が容易となる。また、仮止めの拘束力を、流動性固化材の注入圧力によって解除される程度の弱いものとすることで、固化材注入時に補強シートが押し広げられるのが、仮止めによって妨げられることがない。
【００２０】
第６の発明の中空柱状物の補強方法は、前記第１〜第５の何れかの発明において、前記補強材挿入工程において、２枚の補強材を、その一方の補強材が、丸められた他方の補強材の内側に挿通された状態で、前記柱状物内に配置することを特徴とするものである。
【００２１】
２枚の補強材を柱状物内に挿入し、流動性固化材の注入によってそれぞれの補強材を押し広げて柱状物内面に密着させることで、柱状物の補強効果が高くなる。また、２枚の補強材の種類（繊維の種類や目の粗さなど）を異ならせることで、補強対象となる柱状物に応じた適切な補強構造を得ることが可能となる。
【００２２】
第７の発明の中空柱状物の補強方法は、前記第６の発明において、前記２枚の補強材のうち、内側に位置する前記一方の補強材は、外側に位置する前記他方の補強材よりも目が細かいことを特徴とするものである。
【００２３】
補強効果を高めるという観点から柱状物の内面に密着する補強材は、太い糸を使用した強度の高いものであることが好ましいが、糸が太いほど補強材の目（補強材を構成する糸間の隙間）は粗くなる。そして、補強材の目が粗いと、その内側に流動性固化材が注入されたときに、補強材を透過する固化材が多くなり、補強材を十分に押し広げて柱状物内面に密着させることができなくなる虞がある。そこで、本発明においては、さらに内側に別の補強材を配置した上で、流動性固化材の注入圧力によってこの内側の補強材が膨張して、外側の補強材を柱状物内面まで押し広げることができるように、内側に位置する補強材の目を、外側に位置する補強材の目よりも細かくしている。
【００２４】
第８の発明の中空柱状物の補強方法は、前記第１〜第７の何れかの発明において、前記補強材の内側に筒状の枠体を挿入する枠体挿入工程をさらに備え、前記固化材注入工程において、前記柱状物内に挿入された筒状の前記補強材と筒状の前記枠体との間に、前記流動性固化材を注入することを特徴とするものである。
【００２５】
本発明によれば、筒状の補強材の内側に筒状の枠体を挿入し、補強材と枠体との間に流動性固化材を注入することから、枠体の内側には流動性固化材は充填されず、中空状態となる。従って、柱状物内への流動性固化材の充填量が減り、補強後の柱状物の重量増加が抑えられるため、横揺れに対する耐力が向上し、柱状物を撤去する必要が生じたときにはその撤去作業が容易になる。また、充填量が減るためコストダウンが可能となる。尚、流動性固化材の注入後には、筒状の枠体は柱状物内に残されて、枠体は、補強材とともに補強構造の一部をなす。そのため、枠体の内部を中空状態にして流動性固化材の充填量を減らしつつ、必要な強度を確保することができる。
【００２６】
第９の発明の中空柱状物の補強方法は、前記第８の発明において、前記枠体は、気密性又は液密性を有する筒状織物であり、前記固化材注入工程において、前記枠体内に気体又は液体を注入してこの枠体を膨張させた状態で、前記補強材と前記枠体の間に前記流動性固化材を注入することを特徴とするものである。
【００２７】
本発明においては、枠体が筒状織物で構成されており、この枠体の外側に流動性固化材が注入されたときに、その注入圧力によって枠体がつぶれてしまうことがないように、枠体内に気体又は液体を注入して膨張させた状態で流動性固化材の注入を行う。このように、枠体が筒状織物である場合には、この枠体も、繊維材料からなる補強材と同じく柱状物の強度向上に大きく寄与するため、補強後の柱状物の強度が増す。
【００２８】
第１０の発明の中空柱状物の補強方法は、前記第８又は第９の発明において、前記補強材を前記柱状物内に挿入する前に前記補強材の内側に前記枠体を挿入し、前記補強材の下端部を前記枠体の下端部に固定した後、前記補強材と前記枠体を前記柱状物内に挿入することを特徴とするものである。
【００２９】
補強効果を高める観点からは、枠体が補強材内部のほぼ中心部分に設置されることが好ましい。本発明においては、補強材の下端部を枠体の下端部に固定してから柱状物内に挿入することで、枠体を、筒状の補強体内のほぼ中心部分に位置決めした状態で、柱状物内に設置することができる。
【００３０】
第１１の発明の中空柱状物の補強方法は、前記第８〜第１０の何れかの発明において、前記補強材及び前記枠体を前記柱状物内に挿入した後に、前記枠体の前記柱状物に対する位置決めを行うためのスペーサーを、前記枠体の上端部と前記柱状物の間に取り付けることを特徴とするものである。
【００３１】
補強効果を高める観点からは、枠体が柱状物内部のほぼ中心部分に設置されることが好ましい。本発明においては、枠体を柱状物内に挿入してからこの枠体の上端部にスペーサーを取り付けることにより、枠体を柱状物内のほぼ中心部分に位置決めすることができる。
【図面の簡単な説明】
【００３２】
【図１】本発明の実施形態に係る電柱補強方法を示す図であり、（ａ）は補強前の状態、（ｂ）は電柱上端を開放した状態、（ｃ）は補強シート挿入直前状態、（ｄ）は補強シート挿入完了状態、（ｅ）は固化材注入時の状態、（ｆ）は補強が完了した状態をそれぞれ示す。
【図２】筒状に丸められた状態の補強シートの斜視図である。
【図３】電柱内の補強構造を示す図である。
【図４】実施例１，２及び比較例１の試験体の荷重−たわみ曲線を示すグラフである。
【図５】図４の試験初期段階を拡大したグラフである。
【図６】実施例３及び比較例２の試験体の荷重−たわみ曲線を示すグラフである。
【図７】変更形態に係る電柱内の補強構造を示す図である。
【図８】別の変更形態に係る電柱補強方法を示す図であり、（ａ）は補強シート挿入直前状態、（ｂ）は枠体挿入中の状態、（ｃ）は固化材注入が完了した状態をそれぞれ示す。
【図９】図８（ｃ）に示す補強完了後の電柱の断面図である。
【図１０】枠体下端部に補強材の下端部が固定された状態を示す図である。
【図１１】スペーサーを用いた枠体上端部の電柱に対する位置決めを示す、電柱上端部の断面図である。
【図１２】実施例４，５の試験体の荷重−たわみ曲線を示すグラフである。
【図１３】実施例６，７の試験体の荷重−たわみ曲線を示すグラフである。
【発明を実施するための形態】
【００３３】
次に、本発明の実施の形態について説明する。本実施形態は、中空柱状物である電柱を補強する場合に本発明を適用した一例である。
【００３４】
図１は、本実施形態の電柱補強方法を示す図である。図１に示すように、補強対象である電柱１０は、内部が中空の円筒形状を有し、その下端部が地中に埋設された状態で地面２０に立設されている。尚、以下の説明においては、電柱１０として鉄筋コンクリート製のものを例示しているが、鋼管製の電柱であってもよい。また、電柱１０は、その全長にわたって径の変化しないストレート状のものであってもよいが、本実施形態では、図１に示すような先細り形状（テーパー状）に形成された電柱１０を例に挙げて説明する。
【００３５】
本実施形態の電柱補強方法は、図１（ａ）に示すように、側部にクラック１０ａが生じるなど損傷や痛みが激しい電柱１０に対して、その内部から補強を行うものである。具体的には、繊維材料からなる補強シート１（補強材）を電柱１０の内面に接するように配置し、さらに、その補強シート１の内側に固化材２を充填することで、電柱１０の内部に強固な中実の補強構造を設ける。
【００３６】
以下、本実施形態の電柱補強方法について図１を参照して詳細に説明する。
まず、図１（ｂ）に示すように、電柱１０の上端部に設けられた末口部１１を取り外し、電柱１０の上端開口１０ｂを開放する。
【００３７】
次に、繊維材料からなる補強シート１を図２のように筒状に丸めてから、図１（ｃ）に示すように、補強シート１を電柱１０の上端開口１０ｂから挿入する（補強材挿入工程）。この補強シート１としては様々な繊維材料で織成したものを採用できるが、特に、カーボン繊維やアラミド繊維等の、一般的にスーパー繊維と呼ばれる、引張強度の高い繊維材料からなるシートを用いることが好ましい。そして、この補強シート１を長尺な筒状に丸めてから電柱１０内に挿入し、図１（ｄ）に示すように、電柱１０の内部において、その全長にわたって補強シート１を配置する。
【００３８】
尚、補強シート１の巻き数は特に限定されるものではないが、電柱１０を内面から確実に補強するには補強シート１は電柱１０の内面全周にわたって配置されることが好ましいことから、巻き数は少なくとも１回以上であることが好ましい。また、後述するように、電柱１０内に挿入された後に、補強シート１は電柱１０の内面に密着するように半径方向へ広げられるのであるが、広げられた状態でも電柱１０内面の全周にわたって配置できるように、挿入時には少し巻き数を多めにしておくことが好ましい。
【００３９】
ここで、補強シート１を筒状に丸めただけで電柱１０内に挿入してもよいのだが、図２に示す補強シート１の端部１ａが何ら拘束されていないと、長尺な電柱１０内に補強シート１を挿入する際に、端部１ａが胴部１ｂから剥がれて筒状に丸められた状態が解除されやすく、筒状を保ったまま補強シート１を挿入することが困難になる。そこで、挿入前に、補強シート１の端部１ａを、筒状の胴部１ｂに仮止めすることが好ましい。この仮止めは、手で端部１ａを簡単に剥がせる程度の軽い接合でよく、このような仮止めの方法としては、端部１ａと胴部１ｂとをエポキシ樹脂で軽く接着する方法や、両面テープ等で接着する方法など、現場でも容易に実施できる方法が好ましい。
【００４０】
次に、図１（ｅ）に示すように、電柱１０内において筒状に丸められた状態で設置された、補強シート１の内側に注入管３を挿入し、この注入管３から補強シート１の内部に流動性固化材２を加圧注入する（固化材注入工程）。本実施形態では、流動性固化材２として、常温硬化型の樹脂材料（例えば、エポキシ樹脂）と添加材（例えば、珪砂、中空セラミックス、ガラスビーズ、高炉スラグ等）を混合したものを用いる。樹脂材料に上述したような添加材を加えると、流動性固化材２の弾性率が高くなるため、電柱１０の強度向上が期待できる。
【００４１】
このように、筒状の補強シート１の内側に流動性固化材２を注入すると、注入された流動性固化材２は補強シート１を半径方向外側へ押し広げようとする。ここで、補強シート１が端部のない（あるいは、端部１ａが強固に縫合された）完全な筒状であると外側へ広がりにくいのに対して、本実施形態では補強シート１は筒状に丸められているだけであるので、速やかに外側に押し広げられ、補強シート１は電柱１０の内周面に押しつけられて密着することになる。特に、本実施形態のように、電柱１０がテーパー状の場合には、末広がりの下端部において補強シート１が電柱１０の内面に密着しにくくなるが、補強シート１が丸められただけであると、電柱１０の下端部においても補強シート１は広がりやすい。
【００４２】
尚、先に述べたように、補強シート１の挿入前にその端部１ａを仮止めする場合でも、その仮止めを、例えば手で外すことができる程度の軽い接合としておけば、補強シート１の内側への流動性固化材２の注入によって補強シート１が外側へ広がる際に、その端部１ａの仮止めが自然に外れるため、補強シート１が押し広げられるのが仮止めによって妨げられるという問題は生じない。
【００４３】
また、この流動性固化材２の注入の際には、固化材２につられて補強シート１が下方にずりおちないようにするため、また、補強材を構成している経糸を緊張させるため、補強シート１の上端部を電柱１０の上端部に固定して、固化材２の注入中に補強シート１に対して上下方向にテンションが付与されるようにすることが好ましい。そこで、本実施形態では、図１（ｅ）に示すように、補強シート１を電柱１０の上端開口１０ｂから挿入した後、流動性固化材２を注入する前に、上端開口１０ｂにおいて補強シート１の上端部分１ｃを折り返す。このように、補強シート１の上端部分１ｃを折り返すだけで、補強シート１の上端部分を電柱１０の上端部に簡単に固定し、補強シート１がずり落ちるのを防止することができる。さらに、折り返された補強シート１の上端部分１ｃを、バンドやワイヤ等の簡便な固定手段を用いて、より確実に電柱１０に固定してもよい。
【００４４】
さらに流動性固化材２を注入していくと、電柱１０の内面に密着した補強シート１の内側に流動性固化材２が充填されていくとともに、流動性固化材２に含まれる樹脂材料の一部が補強シート１を透過して電柱１０の内面までしみ出す。そして、このしみ出した樹脂材料によって補強シート１と電柱１０の内面とが接着されることになり、補強シート１の電柱１０に対する接着性が向上する。また、図１（ａ）のように、電柱１０の側部に、内面まで達したクラック１０ａ等の欠陥がある場合においては、補強シート１を透過した樹脂材料が電柱１０内面側からクラック等に浸透するため、クラック１０ａ等を修復することも可能となる。
【００４５】
電柱１０の上端まで流動性固化材２を注入し終えると、電柱１０の上端部に末口部１１を取り付け、上端開口１０ｂを塞いでそのまま放置し、電柱１０内の流動性固化材２（常温硬化型の樹脂材料）を固化させる（固化工程）。このように、流動性固化材２の電柱１０内への注入が終了すれば、後はその状態のまま放置するだけで流動性固化材２が自然に固化していくため、固化材注入工程の完了により実質的な作業は終了する。
【００４６】
そして、流動性固化材２が完全に固化したときには、電柱１０の内面に密着した繊維材料からなる補強シート１と、電柱１０の内部を埋める固化材２とからなる、補強構造が得られる。図３は、電柱１０内の補強構造を示す図である。この図３に示すように、鉄筋１２を含むコンクリート製電柱１０の内面には、補強シート１が内面全周にわたって配置され、この補強シート１から外側にしみ出した樹脂材料の層２ａによって補強シート１が電柱１０の内面に接着されている。さらに、この補強シート１の内側に樹脂材料と珪砂とが混合された固化材２が充填されている。つまり、電柱１０の内部に、この電柱１０の内面を覆うように配置された繊維製補強シート１と、この補強シート１との接着性に優れた樹脂材料を含む固化材２とが一体化した、強固な補強構造が形成されることになる。また、補強シート１に樹脂材料が含浸硬化することにより、補強シート１の伸びが小さくなるため、補強構造がより強固なものとなる。
【００４７】
以上説明した本実施形態の電柱補強方法によれば、筒状の補強シート１を中空形状の電柱１０の上端から電柱１０内に挿入し、この補強シート１の内側に流動性固化材２を注入するだけで、補強シート１を半径方向に押し広げ、補強シート１を電柱１０内面に接するように配置することができる。これにより、電柱１０の内部に、この電柱１０内面を覆うように配置された繊維製補強シート１と、この補強シート１との接着性に優れた樹脂材料を含む固化材２とが一体化した、強固な補強構造を簡単に形成することができる。また、補強シート１に樹脂材料が含浸することで、電柱１０を内面から補強する補強シート１の伸びが小さくなるため、補強構造がより強固なものとなる。さらに、補強材として使用する繊維製の補強シート１は折り畳んだり、丸めたりすることができ、保管や運搬の面で有利である。また、クレーン等で吊り上げることなく、筒状の補強シート１を曲げながら電柱１０の上端から挿入することが可能であり、挿入作業が容易である。
【００４８】
また、補強材として、繊維材料からなる補強シート１を筒状に丸めただけのものを使用した場合には、端部１ａのない（あるいは、端部１ａが強固に縫合された）完全な筒状の補強材と比較して、固化材注入工程において補強材の内側に流動性固化材が注入されたときに、補強材（補強シート１）が速やかに半径方向に押し広げられる。つまり、補強材を電柱１０の内面に密着させやすくなり、強固な補強構造を一層容易に形成することができる。
【００４９】
さらに、流動性固化材２の注入により補強シート１を電柱１０内面に密着させた後、さらに固化材２の注入を行うことによって、流動性固化材２中の樹脂材料が補強シート１を透過して電柱１０内面までしみ出す。そのため、しみ出した樹脂材料によって補強シート１が電柱１０内面に接着されることになり、補強シート１の電柱１０の内面に対する接着性が向上する。また、電柱１０の内面にまで達したクラック１０ａ等の欠陥がある場合には、補強シート１を透過した樹脂材料をクラック１０ａ等に浸透させて電柱１０内面を修復することも可能である。また、樹脂材料によってクラック周辺部分が接合されることから、電柱１０自体の補修にもなる。さらに、電柱１０が鉄筋コンクリート製である場合には、樹脂材料がクラックを埋めることにより、クラック１０ａからの水分の浸入が防止され、コンクリート内の鉄筋の腐食が抑制される。
【００５０】
さらに、本発明の効果を検証するための実験を行った。この検証実験について以下説明する。まず、ボイド管（紙管）を用いた実施例１，２、及び、比較例１について説明する。
【００５１】
（実施例１，２）
実施例１，２では、ボイド管（紙管）からなる型枠内に、筒状に丸めた繊維製補強シートを挿入した後、型枠の上端開口から補強シートの内側に流動性固化材を注入し、振動を与えて脱泡した。注入完了後、８日間恒温室で養生し、養生後両端を切断して試験体を作製した。試験体の長さは５５０ｍｍ、試験体の外径は９０ｍｍとした。
【００５２】
尚、実施例１では、アラミド繊維からなる補強シートを使用し、実施例２では、カーボン繊維からなる補強シートを使用した。また、流動性固化材は、本剤及び硬化剤としてのエポキシ樹脂と、添加材としての珪砂を混合したものを使用した。使用した補強シート及び流動性固化材の詳細を表１に示す。
【００５３】
【表１】
2010168889.tif 000003
【００５４】
尚、実施例１で使用したアラミド繊維シートは、試験体の周長のほぼ１．５倍の長さ（巻き量）を有する。従って、アラミド繊維シートの巻き量は、９０ｍｍ（試験体の外径）×π×１．５＝約４２５ｍｍである。また、アラミド繊維シートの経糸は１６７０Ｔ／３×２３４本（密度５５本／１０ｃｍ）、繊維強度は２４．５ｃＮ／ｄｔｅｘである。また、実施例１の試験体中に含まれる総繊維強度を以下のように算出した。まず、５０ｍｍ巾の織物で引張試験を行った結果、実測値は３３．７５ｋＮとなった。従って、４２５ｍｍ巾に換算すると、３３．７５×４２５／５０＝２８６．９ｋＮとなる。
【００５５】
また、実施例２で使用したカーボン繊維シートも、実施例１と同様に、試験体の周長のほぼ１．５倍の長さ（巻き量）を有し、約４２５ｍｍである。また、カーボン繊維シートの密度（目付）は３０９ｇ／ｍ２、繊維強度は４０４０Ｎ／ｍｍ２である。また、実施例２の試験体中に含まれる総繊維強度を、実施例１と同様に算出した。まず、５０ｍｍ巾の織物で引張試験を行った結果、実測値は３３．７３ｋＮとなった。従って、４２５ｍｍ巾に換算すると、３３．７３×４２５／５０＝２８６．７ｋＮとなる。
【００５６】
（比較例１）
比較例１では、上記実施例１，２と同じ型枠を使用するものの、補強シートは使用せず、流動性固化材のみを型枠へ注入した。尚、流動性固化材は、実施例１，２と同様のものを使用し（表１参照）、同サイズの試験体を作製した。
【００５７】
以上の実施例１，２及び比較例１のそれぞれについて、得られた試験体の３点曲げ試験を行い、図４、図５のような荷重−たわみ曲線を求めた。尚、図５は、図４の、荷重の低い試験初期の段階を拡大した図である。また、３点曲げ試験の試験条件を以下に示す。
試験機械  ：株式会社島津製作所製  ＡＧ−１０ＴＢ
支点間距離：４５０ｍｍ
試験速度  ：５．０ｍｍ／ｍｉｎ
初期荷重  ：０．０１０ｋＮ
【００５８】
図４、図５に示すように、補強シートを使用しなかった比較例１では、荷重の低い試験初期段階で試験体が破断してしまっているのに対して、アラミド繊維からなる補強シートを筒状に丸めて使用した実施例１、及び、カーボン繊維からなる補強シートを筒状に丸めて使用した実施例２では、より高い荷重に試験体が耐えられることが分かる。これにより、本発明を適用した実施例１、２では、比較例と比べて、かなり高い強度が得られることが実証された。
【００５９】
次に、実施例１，２のボイド管よりも実際の電柱に近い、ヒューム管（鉄筋コンクリート管）を用いた実施例３及び比較例２について説明する。
【００６０】
（実施例３）
実施例３では、ヒューム管（内径１５０ｍｍ、厚さ２６ｍｍ）内に中空パイプを挿入するとともに、このパイプとヒューム管の内面との間に内外２枚の繊維製補強シートをそれぞれ筒状に丸めて挿入した。これら２枚の繊維製補強シートは、それぞれ、前記実施例１で使用したものと同じ、アラミド繊維からなるシートである（表１参照）。さらに、２枚の補強シートの間に流動性固化材を注入した。この流動性固化材も、エポキシ樹脂と珪砂とを混合して得られた、前記実施例１，２と同様のものを使用している（表１参照）。そして、流動性固化材を注入してから一定期間養生することで、ヒューム管内に、固化した固化材の外側と内側（パイプ側）が内外２枚の繊維製補強シートでそれぞれ覆われた、補強構造が形成された、試験体（長さ２ｍ）を得た。
【００６１】
（比較例２）
比較例２では、ヒューム管（寸法は実施例３と同じ）そのものを使用し、その内部に補強シートや流動性固化材の注入は行わなかった。
【００６２】
以上の実施例３及び比較例２のそれぞれについて、得られた試験体の３点曲げ試験を行い、図６のような荷重−たわみ曲線を求めた。また、３点曲げ試験の試験条件を以下に示す。
試験機械  ：株式会社島津製作所製  ＡＧ−１０ＴＢ
支点間距離：１０００ｍｍ
試験速度  ：５．０ｍｍ／ｍｉｎ
初期荷重  ：０．１０ｋＮ 
【００６３】
図６に示すように、ヒューム管に補強がなされていない比較例２では、荷重の低い試験初期段階で試験体が破断してしまっているのに対して、アラミド繊維からなる補強シートと固化材による補強がなされている実施例３では、より高い荷重に試験体が耐えられることが分かる。
【００６４】
次に、前記実施形態に種々の変更を加えた変更形態について説明する。但し、前記実施形態と同様の構成を有するものについては、同じ符号を付して適宜その説明を省略する。
【００６５】
１］電柱１０内に挿入する前の補強シートの巻き数は、電柱１０に要求される補強の程度に応じて適宜変更することができる。尚、巻き数を多くするほど補強シートによる補強効果は高くなるが、巻き数が多くなると流動性固化材の注入によって補強シートを外側に押し広げにくくなる。そこで、補強シートを電柱１０の内面に確実に密着させることができるように、巻き数の変更に応じて、流動性固化材の注入圧力を設定することが好ましい。
【００６６】
２］電柱１０内に２枚以上の補強シートを挿入するようにしてもよい。例えば、図７に示すように、一方の補強シート１Ａが、丸められた他方の補強シート１Ｂの内側に挿通された状態で、２枚の補強シート１Ａ，１Ｂを電柱１０内に配置し、内側に位置する補強シート１Ａの内部に流動性固化材２を注入するようにしてもよい。このように、２枚の補強シート１Ａ，１Ｂを電柱１０内に挿入してそれぞれ押し広げることで、補強効果が高くなる。
【００６７】
また、２枚の補強シート１Ａ，１Ｂの種類（繊維の種類や目の粗さなど）を異ならせることで、補強対象となる電柱１０に適した補強構造を得ることが可能となる。例えば、補強効果を高めるという観点からは、電柱１０の内面に密着する外側の補強シート１Ｂは、太い糸を使用した強度の高いものであることが好ましいが、糸が太いほど補強シートの目（補強シートを構成する糸間の隙間）は粗くなる。そして、補強シートの目が粗いと、その内側に流動性固化材２が注入されたときに、補強シートを透過する固化材２が多くなり、補強シートが十分に押し広げられなくなる虞がある。そこで、流動性固化材の注入圧力によって内側の補強シート１Ａを膨張させ、目の粗い外側の補強シート１Ｂを電柱１０内面まで押し広げることができるように、内側に位置する補強シート１Ａを、外側に位置する補強シート１Ｂよりも目が細かいものを使用してもよい。
【００６８】
３］補強シートは、図１（ｄ）に示すように、電柱１０内においてその全長にわたって配置される必要は必ずしもなく、特に補強が必要な箇所にのみ補強シートを配置するようにしてもよい。例えば、特にクラック等が生じやすい根元部（地面２０の近傍部）の内側にのみ補強シートを設置するようにしてもよい。
【００６９】
４］前記実施形態では、補強材として、補強シート１を筒状に丸めたものを電柱１０内に挿入しているが、初めから筒状に形成された繊維製補強材を電柱１０内に挿入してもよい。このような補強材としては、例えば、経糸及び緯糸によって織成された筒状織物を使用してもよい。さらには、先端部が塞がれた袋状の筒状織物（筒状袋体）であってもよい。
【００７０】
５］前記実施形態では、電柱１０の内部に流動性固化材を完全充填していたが、このように中実状態に補強すると、補強によって電柱１０の重量が大きく増加する。電柱１０の重量が増加すると、横揺れに対する耐力が低下するし、将来撤去が必要になったときに特殊な機材を要するなど撤去作業が大掛かりなものとなる。そこで、電柱１０内部に流動性固化材を完全に充填するのではなく、補強後に電柱１０内の一部分が中空状態で残るようにしてもよい。
【００７１】
図８に、そのような電柱補強方法の一例を示す。まず、図８（ａ）に示すように、繊維材料からなる補強シート１を筒状に丸めてから、補強シート１を電柱１０の上端開口１０ｂから挿入する（補強材挿入工程）。
【００７２】
次に、図８（ｂ）に示すように、筒状に丸められた補強シート１の内側に、筒状の枠体２０を挿入する（枠体挿入工程）。ここで、筒状の枠体２０としては筒状織物を使用することができる。また、筒状織物としては、ポリエステル繊維や、補強シート１と同じ繊維材料（カーボン繊維やアラミド繊維等のスーパー繊維）で織成されたものを使用できる。さらに、筒状織物は、その内面が樹脂（例えば、ウレタン樹脂）でライニングされて、気密性又は液密性を備えたものとなっている。
【００７３】
次に、補強シート１と筒状の枠体２０との間に流動性固化材２を注入し、補強シート１を半径方向に押し広げる（固化材注入工程）。尚、枠体２０が気密性又は液密性を有する筒状織物である場合には、流動性固化材２の注入圧力によって枠体２０がつぶれることがないように、枠体２０の内部に流体（エア等の気体や水等の液体）を注入し、枠体２０を半径方向に膨張させた状態で流動性固化材２の注入を行う。このとき、図８（ｃ）に示すように、補強シート１が電柱１０の内面に密着する一方で、流動性固化材２は枠体２０の内側には充填されず、中空状態となる。電柱１０の上端まで流動性固化材２を注入し終えると、電柱１０の上端部に末口部１１を取り付け、上端開口１０ｂを塞いでそのまま放置し、電柱１０内の流動性固化材２を固化させる（固化工程）。
【００７４】
このように、枠体２０の内側を中空にすることで、電柱１０内への流動性固化材２の充填量が減り、補強による電柱１０の重量増加が抑えられるため、横揺れに対する耐力が向上するし、電柱１０を撤去する必要が生じたときにはその撤去作業が容易になる。また、充填量が減るためコストダウンが可能となる。尚、流動性固化材２の注入後には、筒状の枠体２０は電柱１０内に残されて、枠体２０は、補強シート１とともに補強構造の一部をなす。そのため、枠体２０の内部を中空状態にして流動性固化材２の充填量を減らしつつも、必要な強度を確保することができる。特に、枠体２０が筒状織物である場合には、この枠体２０も、繊維材料からなる補強シート１と同じく、電柱１０の強度向上に大きく寄与するため、補強後の電柱１０の強度が増す。
【００７５】
尚、補強効果を高めるためには、枠体２０が筒状の電柱１０及び補強シート１のほぼ中心部分に設置されることが好ましい。枠体２０が電柱１０や補強シート１の中心部分に対して半径方向に偏って配置されると、枠体２０の周囲に充填される流動性固化材の厚みがばらつくなどして、補強効果が低下してしまう。
【００７６】
枠体２０を位置決めするには様々な方法を採用できるが、補強シート１に対して枠体２０を位置決めするには、例えば、補強シート１と枠体２０とを一体化してから電柱１０内に挿入する方法が考えられる。図８の例では、先に補強シート１を電柱１０内に挿入してから、その補強シート１内に枠体２０を挿入しているが、図１０に示すように、補強シート１の下端部を、ワイヤ２１等により枠体２０の下端部に固定してから電柱１０内に挿入することで、枠体２０を、筒状の補強シート１内のほぼ中心部分に位置決めしつつ、電柱１０内に設置することができる。ここで、補強シート１の長さ方向途中部を枠体２０に固定してしまうと、流動性固化材２の注入時に補強シート１が半径方向に広がりにくくなってしまうため、補強シート１の固定箇所は下端部であることが好ましい。
【００７７】
また、スペーサーを用いれば電柱１０に対して枠体２０を位置決めすることも可能である。具体的には、補強シート１及び枠体２０を電柱１０内に挿入した後に、図１１に示すように、枠体２０の電柱１０に対する位置決めを行うためのスペーサー２２を、枠体２０の上端部と電柱１０の間に取り付ける。これにより、枠体２０を電柱１０内のほぼ中心部分に位置決めすることができる。
【００７８】
次に、この中空の補強構造の効果を検証するために、中実構造の試験体（実施例４，６）と中空構造の試験体（実施例５，７）の、計４種類の試験体を作製し、それぞれについて試験を行った。
【００７９】
これら実施例４〜７では、まず、ボイド管（紙管）からなる型枠内に、筒状に丸めたアラミド繊維シートからなる補強シートを挿入した。さらに、実施例５，７では、補強シートの内側に、アラミド円筒状織物からなる枠体を挿入した。その後、型枠の上端開口から補強シートの内側（実施例５，７では、補強シートと枠体の間）に流動性固化材を注入し、振動を与えて脱泡した。注入完了後、８日間恒温室で養生し、養生後両端を切断して試験体を作製した。試験体の長さは５５０ｍｍ、試験体の外径は９０ｍｍとした。実施例４〜７の条件をまとめたものを表２に、実施例４〜７で使用した、補強シート、枠体、及び、流動性固化材の仕様を表３に示す。
【００８０】
【表２】
2010168889.tif 000004
【００８１】
【表３】
2010168889.tif 000005
【００８２】
尚、補強シートとして使用するアラミド繊維シートは、試験体の周長のほぼ１．５倍の長さ（巻き量）を有するものである。従って、表３に示されているように、アラミド繊維シートの巻き量は、９０ｍｍ（試験体の外径）×π×１．５＝約４２５ｍｍとなる。また、表３中の「総繊維強度」とは、試験体中に含まれる繊維全体の強度である。この総繊維強度は、前述した実施例１，２と同様に、５０ｍｍ巾の織物で引張試験を行ったときの実測値を、実際の巻き量に換算した値である。補強シートとしてのアラミド繊維シートでは、９ｋＮ（実測値）×４２５／５０＝７６．５ｋＮとなる。また、枠体としてのアラミド円筒状織物では、巻き量が４５ｍｍ×π＝１４１．３７であるから、１１１．１２（実測値）×１４１．３７／５０＝３１４．２となる。
【００８３】
また、実施例４，５で使用されている固化材Ａは、前述した実施例１，２で使用されているもの（表１）と同じである。一方、実施例６，７で使用されている、固化材Ｂは、固化材Ａとは硬化時間が異なる樹脂を用いている。具体的には、固化材Ａの樹脂は硬化時間が７０分と短いのに対して、固化材Ｂの樹脂の硬化時間は３５０分と長くなっている。但し、固化材ＡとＢとで、硬化後の樹脂の強度はほぼ同等である。さらに、固化材Ｂは、固化材Ａの珪砂の代わりに中空セラミックスを含んでいる。この中空セラミックスは、石灰石から抽出された中空粒状の粒子であり、粒子径が１７５μｍと非常に小さく、また、比重が０．４と非常に軽い。また、融点は１６００〜１８００℃である。
【００８４】
以上の実施例４〜７のそれぞれについて、得られた試験体の３点曲げ試験を行い、図１２、図１３のような荷重−たわみ曲線を求めた。尚、３点曲げ試験の試験条件は、前述した実施例１，２と同じである。
【００８５】
図１２に示すように、実施例４，５では、変位が３ｍｍ程度になるまで荷重が直線的に増加し、変位が３ｍｍ程度になったときに初めて荷重が低下しているが、これは、固化材にクラックが生じたためと考えられる。その後、実施例４，５共に増減を繰り返しながら全体的に荷重が増加しているが、中空形状の実施例５は、中実形状の実施例４よりも荷重の増加率が大きい。また、図１３に示すように、実施例６，７では、変位が１０ｍｍ程度になるまで荷重が直線的に増加し、変位が１０ｍｍ程度になったときに荷重が低下している。ここで、実施例６では変位８ｍｍ程度で試験体が破断し、その後荷重が増加していないのに対して、実施例７では変位１０ｍｍで荷重が一旦減少した後、再び荷重が増加している。
【００８６】
これは、中空の実施例５，７では、固化材にクラックが発生しても、アラミド繊維シートからなる補強シートと、アラミド円筒状織物からなる枠体との間に、固化材が保持されるためであり、固化材に第２、第３のクラックが生じて固化材がある程度破壊されるまで、強度が増加している。また、実施例５は変位１８ｍｍ、実施例７は変位２３ｍｍで荷重が急激に低下しているが、これは、外側の補強シートが破壊されたためである。尚、最初のクラックが生じたときに（実施例５の変位３ｍｍ、実施例７の変位１０ｍｍ）、アラミド繊維製の補強シート及び枠体と、固化材との間で、剥離が生じて一旦荷重が低下するものの、荷重全体の傾向としては、補強シートが破壊されるまで（実施例５の変位１８ｍｍ、実施例７の変位２３ｍｍ）増加している。
【００８７】
さらに、高強度の枠体を有する実施例５，７では、変位３０ｍｍでも荷重１５０００Ｎ程度を維持している。これは、高強度のアラミド円筒状織物からなる枠体が破断していないためである。そのため、実施例５や実施例７の中空補強構造を、電柱の補強に用いた場合、仮に電柱が折れ曲がったとしても電柱が完全に倒れることはないと考えられる。
【００８８】
尚、実施例４，５と実施例６，７では、固化材に含まれる充填材（珪砂又は中空セラミックス）が異なる。珪砂は中空セラミックスよりも変形しにくい（弾性率が高い）ため、図１２や図１３の変位−荷重曲線の傾きが大きい。しかし、その分、珪砂が含まれている固化材はクラックが生じやすく、実際、図１２に示すように、１５０００Ｎ程度の荷重でクラックが発生している。一方、中空セラミックスは珪砂よりも柔軟であり、クラックが生じにくいため、図１３に示すように、実施例６，７では、荷重３００００Ｎまで直線的に荷重が増加する。
【００８９】
以上のように、枠体２０を有する中空の補強構造は、前記実施形態で述べたような中実形状の補強構造と比べて、補強による電柱の重量増加が抑えられて横揺れ耐力が向上するという点で有利であるだけでなく、補強構造自体で比較しても、中実と同等かそれ以上の強度を有することがわかる。
【００９０】
６］流動性固化材は、繊維製の補強シートとの接着性に優れた樹脂材料を含むものであれば、前記実施形態のものに限定されない。例えば、珪砂等の添加材を混合させる必要は必ずしもなく、エポキシ樹脂等の樹脂材料のみからなるものを使用してもよい。また、前記実施形態では、流動性固化材として、常温硬化型の樹脂材料を含有したものを使用しているが、加熱処理を施すことによって初めて硬化する熱硬化性樹脂など、常温で放置するだけでは固化せず、特別な固化処理が必要なものを使用することもできる。
【００９１】
以上説明した実施形態及びその変更形態は、電柱を補強する場合に本発明を適用した例であるが、本発明の適用対象は電柱に限られるものではなく、看板等の構造物を支持する支柱など、電柱以外の種々の中空柱状物に対しても本発明を適用することができる。また、柱状物の材質も、コンクリート製や鋼管製に限られず、高強度樹脂材料などの他の材質で構成された柱状物にも本発明を適用することができる。
【符号の説明】
【００９２】
１，１Ａ，１Ｂ  補強シート
２  流動性固化材
１０  電柱
１０ｂ  上端開口
２０  枠体
【図１】
2010168889.tif 000006
【図２】
2010168889.tif 000007
【図３】
2010168889.tif 000008
【図４】
2010168889.tif 000009
【図５】
2010168889.tif 000010
【図６】
2010168889.tif 000011
【図７】
2010168889.tif 000012
【図８】
2010168889.tif 000013
【図９】
2010168889.tif 000014
【図１０】
2010168889.tif 000015
【図１１】
2010168889.tif 000016
【図１２】
2010168889.tif 000017
【図１３】
2010168889.tif 000018